(57)【要約】【課題】建物の半屋外空間を、通風、採光、及び防犯を考慮しつつ室内側から有効活用可能とする。【解決手段】１階のサッシ１６の外側にインナーテラス１２を設け、インナーテラスと屋外との間にスラット可変式シャッタ１８，２０を設ける。サッシ１６を開けることで１階の部屋とインナーテラス１２とを連通状態とすることができ、インナーテラス１２を室内側から有効活用することができる。スラット可変式シャッタ１８，２０を閉めることで、インナーテラス１２と屋外とが区画され、防犯性を確保することが出来る。スラット可変式シャッタ１８，２０のスラットは角度変更が可能なので、スラットとスラットとの間に隙間を設けるようにスラットの角度を調整すれば、インナーテラス１２と屋外との間で通風を行ったり、部屋への太陽光の採光を行ったり、目隠しや日除けとして利用することも出来る。【選択図】図３
2012017613.tif 000002
【特許請求の範囲】
【請求項１】
室内空間と屋外空間とを連通する開口部を開閉可能な仕切り部材と、
前記仕切り部材の屋外側に配置され、少なくとも床部を有する半屋外空間と、
前記半屋外空間と屋外との間に配置され、角度を変更可能な複数枚のスラットを有するスラット可変式シャッタと、
を備えた建物。
【請求項２】
前記半屋外空間は、インナーバルコニーまたはインナーテラスであり、下階側空間と上階側空間とが連通する吹き抜け構造となっている、請求項１に記載の建物。
【請求項３】
前記吹き抜けの上部に開閉可能な可動屋根が設けられている、請求項２に記載の建物。
【請求項４】
雨滴センサと、
前記可動屋根を駆動する可動屋根駆動装置と、
前記雨滴センサにより雨滴を検出した際に前記可動屋根を駆動して前記可動屋根を前記吹き抜けの上部に配置する可動屋根制御装置と
を有する請求項３に記載の建物。
【請求項５】
前記半屋外空間は、水平断面で見た時に、建物内側へ凹状に形成されており、
前記スラット可変式シャッタは、前記凹状に形成された前記半屋外空間の屋外側の開口を閉止可能で、かつ前記開口を閉止した際には前記外壁に対して面一となるように設けられている、請求項１〜請求項４の何れか１項に記載の建物。
【請求項６】
前記スラット可変式シャッタを開閉させるシャッタ駆動手段と、
屋外の人体を検出する人体検出手段と、
前記人体検出手段による前記人体の検出結果に基いて前記シャッタ駆動手段を制御するシャッタ開閉制御装置と、
を有する請求項１〜請求項５の何れか１項に記載の建物。
【請求項７】
前記半屋外空間の洗濯物の有無を検知する洗濯物検知手段を備え、
前記シャッタ開閉制御装置は、前記人体検出手段で屋外の人体が検出され、かつ前記洗濯物検知手段で前記洗濯物が検出された際に、前記スラット可変式シャッタが閉じるように前記シャッタ駆動手段を制御する、請求項６に記載の建物。
【請求項８】
前記仕切り部材の鍵が開いているか否かを検知する戸締り検知手段を備え、
前記シャッタ開閉制御装置は、前記人体検出手段で屋外の人体が検出され、かつ前記戸締り検知手段で前記鍵が開状態であると検出された際に、前記スラット可変式シャッタが閉じるように前記シャッタ駆動手段を制御する、請求項６または請求項７に記載の建物。
【請求項９】
前記スラットの角度を変更するスラット駆動装置と、
室温を検知する室温センサと、
前記室温センサで検出した前記室温に基いて前記駆動手段を制御するスラット制御装置と、
を有する請求項１〜請求項８の何れか１項に記載の建物。
【請求項１０】
風速を計測する風速計測装置と、
前記スラット可変式シャッタを開閉させるシャッタ駆動手段と、
前記シャッタ駆動手段の駆動を制御する前記シャッタ開閉制御装置と、を備え、
前記風速計測装置で計測した風速が予め設定した値を超えた場合に、前記シャッタ開閉制御装置は前記スラット可変式シャッタが閉じるように前記シャッタ駆動手段を制御し、前記スラット制御装置は前記スラットが閉じるように前記スラット駆動装置を制御する、請求項９に記載の建物。
【発明の詳細な説明】
【技術分野】
【０００１】
本発明は、建物に係り、特には、インナーテラス、インナーバルコニー等の半屋外空間を、通風、採光、及び防犯を考慮しつつ室内側から有効活用可能とした建物に関する。
【背景技術】
【０００２】
住宅本体から濡れ縁を突出させ、濡れ縁にガラリ戸、及び開閉ドアを取り付けて、必要に応じて濡れ縁をガラリ戸、及び開閉ドアによって囲み、外側から内部が覗け無いようにしたり、日除けをする建物が提案されている。
【先行技術文献】
【特許文献】
【０００３】
【特許文献１】特開２００１―４０８８７号公報
【発明の概要】
【発明が解決しようとする課題】
【０００４】
上記建物は、例えば、隣家との間の隣接距離を大きく取れない場合において、目隠し日除けにより、隣家からのプライバシーを保護し、かつ日除けをすると共に、全くな遮蔽戸ではなく、木材で桟を架設して、間に空間を構成した目隠し日除けを開閉可能に配置することで、濡れ縁部分のスペースの有効利用を図ろうとするものである。
【０００５】
この目隠し日よけは、例えば、アルミのドア枠の内側に、木材により構成した桟を間隔を開けて架設した状態のガラリ戸により構成されており、日除けや目隠しの役目はするが、防犯や、暴風を遮断する効果は有していないものであり、軒先を日除けや風除けや目隠しが大きな目的となっている。
【０００６】
本発明は上記事実を考慮し、半屋外空間を、通風、採光、及び防犯を考慮しつつ室内側から有効活用可能とした建物の提供を目的とする。
【課題を解決するための手段】
【０００７】
請求項１に記載の建物は、室内空間と屋外空間とを連通する開口部を開閉可能な仕切り部材と、前記仕切り部材の屋外側に配置され、少なくとも床部を有する半屋外空間と、前記半屋外空間と屋外との間に配置され、角度を変更可能な複数枚のスラットを有するスラット可変式シャッタと、を備えている。
【０００８】
次に、請求項１に記載の建物の作用を説明する。
請求項１に記載の建物では、仕切り部材を開けることで室内空間と屋外空間とを半屋外空間を介して連通状態とすることができ、仕切り部材を閉めることで室内空間と半屋外空間とを非連通状態とすることができる。仕切り部材を開けて室内空間と半屋外空間とを連通状態とすることで、半屋外空間を室内側から有効活用することができる。
【０００９】
仕切り部材としては、例えば、アルミサッシ、木製のサッシ等を上げることができるが、開口部分を開閉可能な構成であれば、その形式、材質は問わない。
【００１０】
半屋外空間と屋外との間には、スラット可変式シャッタが設けられており、スラット可変式シャッタを閉めることで、半屋外空間と屋外とが区画され、半屋外空間と屋外との間の人の出入りを阻止することができる。即ち、スラット可変式シャッタを閉めることで、仕切り部材が開いていたとしても、建物の防犯性を確保することが出来る。
【００１１】
スラット可変式シャッタのスラットは角度を変更可能としているので、例えば、スラットとスラットとの間に隙間を設けるようにスラットの角度を調整すれば、半屋外空間と屋外との間で、スラット可変式シャッタを介して空気の出入りを行うことができ、また、半屋内空間、及び室内へ太陽光を採光することができる。
【００１２】
また、スラット可変式シャッタの角度を調整することで、スラット可変式シャッタを介して空気の出入り、即ち通風を可能としつつ、外側から室内が見えないように目隠しを行うことができ、また、半屋外空間や室内へ太陽光線が入り込まないように日除けとしても利用できる。
【００１３】
さらに、スラットとスラットとの間に隙間が生じないようにスラットの角度を調整すれば、半屋外空間と屋外との間で、スラット可変式シャッタを介して空気の出入りを阻止することができ、防音（遮音）効果も得られる。
なお、半屋外空間は、建物の外壁よりも外側に配置され、かつ屋根のある空間を意味する。
【００１４】
請求項２に記載の発明は、請求項１に記載の建物において、前記半屋外空間は、インナーバルコニーまたはインナーテラスであり、下階側空間と上階側空間とが連通する吹き抜け構造となっている。
【００１５】
次に、請求項２に記載の建物の作用を説明する。
半屋外空間が建物１階に設けられるインナーテラスの場合には、スラット可変式シャッタを閉めることで、インナーテラスと屋外とが区画され、インナーテラスへの進入を阻止することができる。
また、１階の室内と屋外との間でスラット可変式シャッタを介して空気の出入り、即ち通風を可能としつつ、外側から１階の室内が見えないように目隠しを行うことができ、インナーテラスや１階の室内へ太陽光線が入り込まないように日除けとしても利用できる。
【００１６】
一方、半屋外空間が２階以上に設けられるインナーバルコニーの場合には、スラット可変式シャッタを閉めることで、インナーバルコニーへの侵入を阻止することができる。
また、上階の室内と屋外との間でスラット可変式シャッタを介して空気の出入り、即ち通風を可能としつつ、外側から上階の室内が見えないように目隠しを行うことができ、インナーバルコニーや上階の室内へ太陽光線が入り込まないように日除けとしても利用できる。
【００１７】
ここで、本明細書では、「テラス」は、建物の外壁の外側に設けられて、１階の室内から庭等の屋外の地面に出ることができる床を有する屋根が無いスペースを意味し、テラスの上に屋根を配置したものを「インナーテラス」と呼ぶ。
また、「バルコニー」は、２階以上に設けられて２階以上の室内から屋外へ出ることのできる床を有する屋根が無いスペースを意味し、バルコニーに屋根を配置したものをインナーバルコニーと呼ぶ。なお、ベランダは、バルコニーと同義とする。
また、請求項２に記載の建物では、インナーバルコニーまたはインナーテラスが吹き抜け構造となっているので、大空間が得られ、かつ上下階方向の通風が可能となる。
【００１８】
請求項３に記載の発明は、請求項２に記載の建物において、前記吹き抜けの上部に開閉可能な可動屋根が設けられている。
【００１９】
次に、請求項３に記載の建物の作用を説明する。
請求項３に記載の建物では、吹き抜けの上部に開閉可能な可動屋根を備えているため、吹き抜けの上部に可動屋根が位置しないように可動屋根を退避させれば、インナーテラスの上が開放され、インナーテラスを屋根の無いテラスに変身させることができる。これにより、吹き抜け空間と吹き抜け上方の屋外空間との間で上下方向に通風を行うことができる。
【００２０】
一方、退避位置にあった稼動屋根を吹き抜けの上部に位置させれば、テラスからインナーテラスへと変身させることができる。これにより、雨天時に、テラス床面へ雨水がかかることを防止できる。
なお、スラット可変式シャッタを閉め、かつ吹き抜けの上部に可動屋根を配置することで、テラスの屋外側開口部分を全て塞ぐことができ、防犯性能が向上する。
【００２１】
請求項４に記載の発明は、請求項３に記載の建物において、雨滴センサと、前記可動屋根を駆動する可動屋根駆動装置と、前記雨滴センサにより雨滴を検出した際に前記可動屋根を駆動して前記可動屋根を前記吹き抜けの上部に配置する可動屋根制御手段と、を有する。
【００２２】
次に、請求項４に記載の建物の作用を説明する。
請求項４に記載の建物では、雨滴センサにより雨滴が検出されると、可動屋根制御手段が可動屋根駆動装置を制御して可動屋根を自動的に吹き抜けの上部に配置することができる。一方、雨滴が検出されなくなると、可動屋根制御装置は、可動屋根駆動装置を制御して可動屋根を自動的に吹き抜けの上部から退避させることができる。したがって、請求項６に記載の建物では、好天から雨天に転じた場合や、雨天から好天に転じた場合に、自動で可動屋根が移動されるので、人手が掛からない。
【００２３】
請求項５に記載の発明は、請求項１〜請求項４の何れか１項に記載の建物において、前記半屋外空間は、水平断面で見た時に、建物内側へ凹む様に凹状に形成されており、前記スラット可変式シャッタは、前記凹状に形成された前記半屋外空間の屋外側の開口を閉止可能で、かつ前記開口を閉止した際には前記外壁に対して面一となるように設けられている。
【００２４】
次に、請求項５に記載の建物の作用を説明する。
請求項７に記載の建物では、スラット可変式シャッタで半屋外空間の屋外側の開口を閉止すると、スラット可変式シャッタは外壁に対して面一となるので、外壁とスラット可変式シャッタとが凹凸することなく一体化してフラット感が得られ、意匠性が向上する。
【００２５】
請求項６に記載の発明は、請求項１〜請求項５の何れか１項に記載の建物において、前記スラット可変式シャッタを開閉させるシャッタ駆動手段と、屋外の人体を検出する人体検出手段と、前記人体検出手段による前記人体の検出結果に基いて前記シャッタ駆動手段を制御するシャッタ開閉制御装置と、を有する。
【００２６】
次に、請求項６に記載の建物の作用を説明する。
請求項６に記載の建物では、例えば、庭等の屋外にいる人間を人体検出手段が検出すると、シャッタ開閉制御装置は、シャッタ駆動手段を制御して、スラット可変式シャッタを閉めることができる。
これにより、例えば、庭等の屋外にいる人間が半屋外空間へ進入することを防止できる。
【００２７】
請求項７に記載の発明は、請求項６に記載の建物において、前記半屋外空間の洗濯物の有無を検知する洗濯物検知手段を備え、前記シャッタ開閉制御装置は、前記人体検出手段で屋外の人体が検出され、かつ前記洗濯物検知手段で前記洗濯物が検出された際に、前記スラット可変式シャッタが閉じるように前記シャッタ駆動手段を制御する。
【００２８】
次に、請求項７に記載の建物の作用を説明する。
請求項７に記載の建物では、洗濯物検知手段が、半屋外空間に洗濯物が有るか無いかを検知することができる。
ここで、人体検出手段で屋外の人体が検出され、かつ洗濯物検知手段で洗濯物が検出されると、シャッタ開閉制御装置は、スラット可変式シャッタを閉じるようにシャッタ駆動手段を制御する。これにより、例えば、庭等の屋外に侵入した不審者等が洗濯物を盗むことを防止可能となる。
【００２９】
請求項８に記載の発明は、請求項６または請求項７に記載の建物において、前記仕切り部材の鍵が開いているか否かを検知する戸締り検知手段を備え、前記シャッタ開閉制御装置は、前記人体検出手段で屋外の人体が検出され、かつ前記戸締り検知手段で前記鍵が開状態であると検出された際に、前記スラット可変式シャッタが閉じるように前記シャッタ駆動手段を制御する。
【００３０】
次に、請求項８に記載の建物の作用を説明する。
請求項８に記載の建物では、戸締り検知手段が仕切り部材の鍵が開いているか否かを検知することができる。
【００３１】
ここで、人体検出手段で屋外の人体が検出され、かつ戸締り検知手段が仕切り部材の鍵が開いていることを検知すると、シャッタ開閉制御装置は、スラット可変式シャッタを閉じるようにシャッタ駆動手段を制御する。これにより、例えば、屋外に侵入した不審者等が半屋外空間を介して室内に侵入することを防止可能となる。
【００３２】
請求項９に記載の発明は、請求項１〜請求項８の何れか１項に記載の建物において、前記スラットの角度を変更するスラット駆動装置と、室温を検知する室温センサと、前記室温センサで検出した前記室温に基いて前記駆動手段を制御するスラット制御装置と、を有する。
【００３３】
次に、請求項９に記載の建物の作用を説明する。
スラット制御装置は、室温センサで検出した室温に基いてスラット駆動手段を制御し、スラットの角度を変更することができる。
【００３４】
例えば、検出した室温が、予め設定しておいた値（第１の値）を超えた場合に、スラット制御装置はスラット制御装置を制御し、室内に太陽光が入り込まないように、即ち、スラットが日除けとなるようにスラットの角度を変更することができる。これにより、夏季等で室内を冷房している時に、太陽光による室温の上昇を抑えることができ、省エネとなる。
【００３５】
また、検出した室温が、予め設定しておいた値（第２の値）をよりも低い場合に、スラット制御装置はスラット制御装置を制御し、室内に太陽光が入り込むようにスラットの角度を変更することができる。これにより、冬季等で室内を暖房している時に、太陽光によって床等を暖めたり、室温を上昇させることができ、省エネとなる。
【００３６】
請求項１０に記載の発明は、請求項９に記載の建物において、風速を計測する風速計測装置と、前記スラット可変式シャッタを開閉させるシャッタ駆動手段と、前記シャッタ駆動手段の駆動を制御する前記シャッタ開閉制御装置と、を備え、前記風速計測装置で計測した風速が予め設定した値を超えた場合に、前記シャッタ開閉制御装置は前記スラット可変式シャッタが閉じるように前記シャッタ駆動手段を制御し、前記スラット制御装置は前記スラットが閉じるように前記スラット駆動装置を制御する。
【００３７】
次に、請求項１０に記載の建物の作用を説明する。
請求項１０に記載の建物では、風速計測装置で風速を計測することができる。
ここで、風速計測装置で計測した風速が予め設定した値を超えた場合には、シャッタ開閉制御装置はスラット可変式シャッタが閉じるようにシャッタ駆動手段を制御し、スラット制御装置はスラットが閉じるようにスラット駆動装置を制御する。
【００３８】
これにより、例えば、台風等で風が強い場合に、スラット可変式シャッタを風除けとして利用でき、半屋外空間内に強い風が吹き込むことを防止でき、雨が吹き込むことも防止できる。
【発明の効果】
【００３９】
以上説明したように請求項１に記載の建物ユニットは上記の構成としたので、半屋外空間を、通風、採光、及び防犯を考慮しつつ室内側から有効活用することが可能となる。
【００４０】
請求項２に記載の建物では、インナーテラスまたはインナーバルコニーを通風、採光、及び防犯を考慮しつつ室内側から有効活用することが可能となる。
インナーテラスを吹き抜け構造とすることでで、開放感のあるインナーテラスとすることができ、また、インナーテラスにおいて、上下階方向に通風が可能となる。
インナーバルコニーを吹き抜け構造とすることでで、開放感のあるインナーバルコニーとすることができ、また、インナーバルコニーにおいて、上下階方向に通風が可能となる。
【００４１】
請求項３に記載の建物では、吹き抜けの上部に可動屋根を配置すれば、吹き抜け構造とされたインナーテラスに雨水がかかることを防止でき、吹き抜けの上部から可動屋根を退避させればインナーテラスをテラスに変身させることができ、上下方向の通風を促進できる。
【００４２】
請求項４に記載の建物では、好天から雨天に転じた場合や、雨天から好天に転じた場合に、自動で可動屋根を移動でき、人手が掛からない。
【００４３】
請求項５に記載の建物では、スラット可変式シャッタで半屋外空間の屋外側の開口を閉止することで、外壁とスラット可変式シャッタとが凹凸することなく一体化してフラット感が得られ、意匠性が向上する。
【００４４】
請求項６に記載の建物では、庭等の屋外にいる人間が半屋外空間へ進入することを防止でき、防犯性が向上する。
【００４５】
請求項７に記載の建物では、例えば、庭等の屋外に侵入した不審者等が洗濯物を盗むことを防止可能となり、防犯性が向上する。
【００４６】
請求項８に記載の建物では、仕切り部材の鍵が開いている場合であっても、例えば、屋外に侵入した不審者等が半屋外空間を介して室内に侵入することを防止可能となる。
【００４７】
請求項９に記載の建物では、室温に応じて室内への太陽光の取り込みを制御することで、省エネを図ることができる。
【００４８】
請求項１０に記載の建物では、台風等で風が強い場合に、半屋外空間内に強い風が吹き込むことを防止でき、雨が吹き込むことも防止できる。また、風が強い場合に、スラット可変式シャッタを自動で閉め、かつルーバーも自動で閉めるので、スラット可変式シャッタを操作する手間が掛からない。
【図面の簡単な説明】
【００４９】
【図１】全てのスラット可変式シャッタが開けられた第１の実施形態に係る建物の斜視図である。
【図２】第１の実施形態に係る建物を東西方向に切断した縦断面図である。
【図３】全てのスラット可変式シャッタが閉められた第１の実施形態に係る建物の斜視図である。
【図４】制御系の概略構成を示すブロック図である。
【図５】シャッタの概略構成を示す断面図である。
【図６】全てのスラット可変式シャッタが閉められた第２の実施形態に係る建物の斜視図である。
【図７】全てのスラット可変式シャッタが開けられた第２の実施形態に係る建物の斜視図である。
【発明を実施するための形態】
【００５０】
［第１の実施形態］
以下、図１〜図４を用いて、本発明に係る建物の第１の実施形態について説明する。
（本実施形態に係る建物の全体構成）
図１に示す本実施形態の建物１０は、２階建の戸建住宅であり、平面視形状が東西に長い長方形とされている。なお、図１において、Ｎは北、Ｓは南、Ｅは東、Ｗは西を示している。
【００５１】
建物１０の１階の南西角側にはインナーテラス１２が設けられている。インナーテラス１２は、後述するインナーバルコニー２２の床（インナーテラス１２の天井でもある）によって上部が覆われているが、南側、及び西側は開放されている。
また、建物１０の１階には、インナーテラス１２と１階の部屋１４とを行き来可能とする開閉可能な鍵付きのサッシ（一例として引き違い戸）１６が設けられている。
【００５２】
インナーテラス１２の天井には、西側の縁部に沿って巻取り式のスラット可変式シャッタ１８が設けられ、南側の縁部に沿って巻取り式のスラット可変式シャッタ２０が設けられている。スラット可変式シャッタ１８、及びスラット可変式シャッタ２０は、何れも昇降及びスラットの角度変更が電動で行われるタイプのものである。
【００５３】
また、インナーテラス１２の天井には、物干し竿を引っ掛けるフック１２Ａが取り付けられていると共に、物干し竿に干された洗濯物を検出する洗濯物センサ６２が取り付けられている。洗濯物センサ６２は、反射式光センサ、超音波センサ等を用いることができる。
【００５４】
図３に示すように、スラット可変式シャッタ１８を閉めることでスラット可変式シャッタ１８と西側外壁面１１Ｗとが面一となり、スラット可変式シャッタ２０を閉めることでスラット可変式シャッタ１８と南側外壁面１１Ｓとが面一となる。
【００５５】
建物１０の２階の南西角側には、インナーテラス１２の上方にインナーバルコニー２２が設けられている。インナーバルコニー２２は、屋根２４によって上部が覆われているが、南側、及び西側は開放されている。
【００５６】
建物１０の２階には、インナーバルコニー２２と２階の部屋２６を行き来可能とする鍵付きのサッシ（一例として引き違い戸）２８が設けられている。
インナーバルコニー２２の天井には、西側の縁部に沿って巻取り式のスラット可変式シャッタ３０が設けられ、南側の縁部に沿って巻取り式のスラット可変式シャッタ３２が設けられている。スラット可変式シャッタ３０、及びスラット可変式シャッタ３２は、何れも昇降及びスラットの角度変更が電動で行われるタイプのものである。
【００５７】
図３に示すように、スラット可変式シャッタ３０を閉めることでスラット可変式シャッタ３０と西側外壁面１１Ｗとが面一となり、スラット可変式シャッタ３２を閉めることでスラット可変式シャッタ３２と南側外壁面１１Ｓとが面一となる。
【００５８】
また、建物１０の南側１階には、やや東寄に、建物内側へ凹形状とされ、南側が開放、東側、西側、及び北側の３方が囲まれたテラス３４が設けられている。このテラス３４は、上方が開放された吹き抜け構造とされている。
１階には、１階の室内とテラス３４とを行き来可能とする開閉可能な鍵付きのサッシ（一例として折れ戸）３６が設けられ、２階には、２階の部屋２６とテラス３４の上部空間とを連通可能とする開閉可能な鍵付きのサッシ（窓）３８が設けられている。
【００５９】
屋根２４には、テラス３４の上方の開口部分を開閉可能とする巻取り式のスラット可変式シャッタ４０が内蔵されている。スラット可変式シャッタ４０は南北方向へ水平に移動することで、テラス３４の上方の開口部分（吹き抜けの上部）を開閉することができる。スラット可変式シャッタ４０は、水平移動及びスラットの角度変更が電動で行われるタイプのものである。
【００６０】
建物１０の南側には、１階と２階との間、及び屋根２４と同一レベルの部分に、テラス３４の南側開口部分を横切る梁４２、及び梁４４が設けられている。
梁４４には巻取り式のスラット可変式シャッタ４６が設けられており、梁４２には巻取り式のスラット可変式シャッタ４８が設けられている。スラット可変式シャッタ４６、及びスラット可変式シャッタ４８は、何れも昇降及びスラットの角度変更が電動で行われるタイプのものである。
【００６１】
梁４４のスラット可変式シャッタ４６を閉めることによって、梁４４と梁４２との間の開口部分を閉止することができ、スラット可変式シャッタ４６を閉めることでスラット可変式シャッタ４６と南側外壁面１１Ｓとが面一となる。
【００６２】
梁４２のスラット可変式シャッタ４８を閉めることによって、梁４２とテラス３４の床との間の開口部分を閉止することができ、スラット可変式シャッタ４８を閉めることでスラット可変式シャッタ４８と南側外壁面１１Ｓとが面一となる。
【００６３】
本実施形態の建物１０は、各スラット式シャッタを制御する図４に示す制御装置５０を備えている。制御装置５０には、屋根２４に取り付けられて屋外の風速を計測する風速計５２、１階の部屋１４の室温を計測する室温センサ５４Ａ、２階の部屋２６の室温を計測する室温センサ５４Ｂ、屋外の人間を検知する人体検出センサ５６、サッシ１６の鍵が掛けられているか否かを検知する戸締りセンサ１６Ｓ、サッシ３６の鍵が掛けられているか否かを検知する戸締りセンサ３６Ｓ、スラット可変式シャッタ１８,２０，３０，３２，４０，４６，４８の駆動装置（図５参照）、建物１０の居住者が屋外で携帯するＩＤカード５８が発する電波を受信するアンテナ６０、洗濯物センサ６２、屋根２４に取り付けられて雨滴を検知する雨滴センサ６３、室内に設けた操作盤５０Ａ等が接続されている。
【００６４】
人体検出センサ５６は、例えば建物１０の外壁に取り付けられ、人体から発する赤外線を検知する赤外線センサ、テレビカメラ（画像処理にて、人間か否かを判断する手段を含む）等を上げることができるが、人体を検出可能なセンサであれば、光センサ、超音波センサ等、公知の手段を利用できる。
雨滴センサ６３は、例えば、雨滴が当たったときの振動を検出する振動センサを用いたタイプ、一対の電極に雨水が接触して電極間に通電が行われたことを検出するタイプ、等の公知のものを利用できる。
【００６５】
本実施形態のスラット可変式シャッタ１８,２０，３０，３２，４０，４６，４８の開閉動作、及びスラットの角度変更は、室内に設けた操作盤５０Ａを操作して手動で行うことができ、自動で行うこともできる。
また、操作盤５０Ａには、スラット可変式シャッタ１８,２０，３０，３２，４０，４６，４８の開閉状態、スラットの角度、雨滴の検出、人間の検出、風速、洗濯物の有無等を表示可能な表示装置（図示せず）が設けられている。
【００６６】
なお、図５には、本実施形態のスラット可変式シャッタ１８の概略構成が断面図にて示されている。図５に示すように、スラット可変式シャッタ１８は、建物１０に取り付けられるボックス８２を備え、ボックス８２の内部に、複数枚のスラット８４を備えたシャッタ本体８６の巻き取り、及び送り出しを行うモータ等を含んで構成されるシャッタ駆動装置８８、及び複数のスラット８４の角度を変更するスラット駆動装置９０を備えている。
【００６７】
スラット８４はシャッタ駆動装置８８で駆動されるチェーン９２に回転自在に支持されており、また、スラット駆動装置９０とは連結部材９４を介して連結されている。各スラット８４は、連結部材９４を移動することで、例えば、図５の実線と２点鎖線で示す様に角度を変更することができると共に、図示は省略するが、図５においてスラットを縦にしてスラット同士を密着させること、即ち、スラットを閉じることが出来る。
【００６８】
このスラット可変式シャッタ１８は、例えば、ブラインドシャッター、シャッターブラインド等と呼ばれる市販のものと同様の構造のものであり、図５に示す構造のものに限らず、公知の他の構造のものを用いることもでき。本実施形態では、スラット可変式シャッタ１８に巻取り式のものを用いたが、スラットの角度が変更可能なものであれば、例えば、スラットを重ねて収納するタイプ等、他の形式のシャッタであっても良い。
なお、他のスラット可変式シャッタ２０，３０，３２，４０，４６，４８もスラット可変式シャッタ１８と同様の構成である。
スラット可変式シャッタ１８，２０，３０，３２，４０，４６，４８のシャッタ本体８６は、防犯を考慮すると金属製のものが好ましく、軽量化を図るためには、アルミ等の軽金属製が好ましい。
【００６９】
（作用）
次に、本実施形態の建物１０の作用を説明する。
（インナーテラス）
本実施形態の建物１０では、１階のサッシ１６を開けることで１階の部屋１４とインナーテラス１２とを連通状態とすることができ、インナーテラス１２を室内側から有効活用することができる。
【００７０】
インナーテラス１２と屋外との間には、スラット可変式シャッタ１８及びスラット可変式シャッタ２０が設けられているので、スラット可変式シャッタ１８及びスラット可変式シャッタ２０を閉めることで、インナーテラス１２と屋外とが区画され、インナーテラス１２と屋外との間の人の出入りを阻止することができる。
このため、スラット可変式シャッタ１８及びスラット可変式シャッタ２０を閉めていれば、サッシ１６が開いていたとしても、防犯性を確保することが出来る。
【００７１】
スラット可変式シャッタ１８のスラット及びスラット可変式シャッタ２０のスラットは角度変更が可能なので、スラットとスラットとの間に隙間を設けるようにスラットの角度を調整すれば、インナーテラス１２と屋外との間で空気の出入りを行ったり、例えば、スラットを斜め上向きとしてインナーテラス１２、及び部屋１４への太陽光の採光を行ったり、例えば、スラットを斜め下向きにして外からインナーテラス１２や部屋１４の内部が見えないように目隠しを行ったり、インナーテラス１２や部屋１４の中に太陽光線が入り込まないように日除けとして利用できる。また、スラットとスラットとの間に隙間が生じないようにスラットの角度を調整すれば、風や雨がインナーテラス１２に吹き込むことを抑えたり、防音（遮音）効果を得ることも出来る。
【００７２】
また、スラット可変式シャッタ１８は閉めると西側外壁面１１Ｗと面一となり、スラット可変式シャッタ２０は閉めると南側外壁面１１Ｓと面一となり、１階南西部分の外観が凹凸せず、意匠性が向上する。
【００７３】
（インナーバルコニー）
本実施形態の建物１０では、２階のサッシ２８を開けることで２階の部屋２６とインナーバルコニー２２とを連通状態とすることができ、インナーバルコニー２２を室内側から有効活用することができる。
【００７４】
インナーバルコニー２２と屋外との間には、スラット可変式シャッタ３０及びスラット可変式シャッタ３２が設けられているので、スラット可変式シャッタ３０及びスラット可変式シャッタ３２が閉められていれば、サッシ２８が開いていたとしても防犯性を維持することができる。
【００７５】
スラット可変式シャッタ３０のスラット及びスラット可変式シャッタ３２のスラットは角度変更が可能なので、１階のスラット可変式シャッタ１８及びスラット可変式シャッタ２０と同様に、スラットとスラットとの間に隙間を設けるようにスラットの角度を調整すれば、インナーバルコニー２２と屋外との間で空気の出入りを行ったり、インナーバルコニー２２、及び２階の部屋２６への太陽光の採光を行ったり、外からインナーバルコニー２２や部屋２６の内部が見えないように目隠しを行ったり、インナーバルコニー２２や部屋２６の中に太陽光線が入り込まないように日除けとして利用できる。また、スラットとスラットとの間に隙間が生じないようにスラットの角度を調整すれば、風や雨がインナーバルコニー２２に吹き込むことを抑えたり、防音（遮音）効果を得ることも出来る。
【００７６】
なお、スラット可変式シャッタ３０及びスラット可変式シャッタ３２は、少し上向に傾斜させることで、地上から２階の室内が見えないように目隠しすることができる。
また、スラット可変式シャッタ３０は閉めると西側外壁面１１Ｗと面一となり、スラット可変式シャッタ３２は閉めると南側外壁面１１Ｓと面一となり、２階南西部分の外観が凹凸せず、意匠性が向上する。
【００７７】
（テラス）
本実施形態の建物１０では、吹き抜け構造とされたテラス３４の上方を覆う様にスラット可変式シャッタ４０を閉め、かつスラットとスラットとの間の隙間が生じないようにスラットを閉めることで、スラット可変式シャッタ４０を屋根として利用することができ、テラス３４をインナーテラスに変身させることができる。
【００７８】
そして、１階のサッシ３６を開けることで１階の部屋１４とテラス３４を連通状態とすることができ、テラス３４を室内側から有効活用することができる。
【００７９】
テラス３４と屋外との間には、スラット可変式シャッタ４６及びスラット可変式シャッタ４８が設けられているので、スラット可変式シャッタ４６及びスラット可変式シャッタ４８が閉められていれば、サッシ３６が開いていたとしても防犯性を維持することができる。
【００８０】
なお、２階のスラット可変式シャッタ４６は開いていて少なくとも１階のスラット可変式シャッタ４８が閉められていればある程度の防犯性は確保される。なお、上部のスラット可変式シャッタ４０を閉めれば、テラス３４の建物外側の開口は全て塞がれ、さらに防犯性は向上する。
【００８１】
スラット可変式シャッタ４６、スラット可変式シャッタ４８、及びスラット可変式シャッタ４０は、各々のスラットの角度変更が可能なので、スラットとスラットとの間に隙間を設けるようにスラットの角度を調整すれば、テラス３４と屋外との間で空気の出入りを行ったり、サッシ３６を開けてテラス３４と１階の部屋１４との間の通風を行ったり、サッシ３８を開けてテラス３４と２階の部屋２６との間の通風を行ったり、テラス３４、１階の部屋１４、及び２階の部屋２６への太陽光の採光を行ったり、外からテラス３４、部屋１４、及び部屋２６の内部が見えないように目隠しを行ったり、テラス３４、部屋１４、及び部屋２６の中に太陽光線が入り込まないように日除けとして利用することができる。また、スラットとスラットとの間に隙間が生じないようにスラットの角度を調整すれば、風や雨がテラス３４に入ることを抑えたり、防音（遮音）効果を得ることも出来る。
【００８２】
これらスラット可変式シャッタ１８，２０，３０，３２，４０，４６，４８の各々の開閉、及び各々のスラットの角度変更は、制御装置５０の操作盤５０Ａを操作することで、各々自由に行うことができる。
また、スラット可変式シャッタ１８，２０，３０，３２，４０，４６，４８はスラットの角度を変更可能であるため、スラットの角度を調整することで、最適な調光を容易に行うことができる。
なお、スラット可変式シャッタ４６及びスラット可変式シャッタ４８は、閉めると南側外壁面１１Ｓと面一となり、南側のテラス部分の外観が凹凸せず、意匠性が向上する。
【００８３】
（シャッタ自動制御）
スラット可変式シャッタ１８，２０，３０，３２，４０，４６，４８の各々の開閉、及び各々のスラットの角度変更は、制御装置５０によって自動で行うこともできる。以下に、スラット可変式シャッタ１８，２０，３０，３２，４０，４６，４８の各々の開閉、及び各々のスラットの角度変更を自動で行う例を説明する。
【００８４】
（室温制御）
例えば、１階の室温センサ５４Ａで計測した部屋１４の室温が予め設定した第１の値を超えた場合には、制御装置５０は、例えば南側のスラット可変式シャッタ２０，４６，４８（場合によっては、西側のスラット可変式シャッタ１８）を閉め、かつ１階の部屋１４の中に太陽光が入り込まないように各々のルーバーの角度を変更し、日除けとする。これにより、夏季等で冷房を行っている場合に室温上昇が抑えられ、省エネとなる。
【００８５】
また、部屋１４の室温が予め設定した第２の値よりも低い場合には、制御装置５０は、例えば南側のスラット可変式シャッタ２０，４６，４８（場合によっては、西側のスラット可変式シャッタ１８）を開ける。これにより、太陽光で部屋１４の床等を暖めることができ、冬季等で暖房を行っている場合に省エネとなる。
【００８６】
なお、スラット可変式シャッタ２０，４６，４８（場合によっては、西側のスラット可変式シャッタ１８）を閉めた状態を維持し、かつ部屋１４の中に日光が入り込むように各々のルーバーの角度を変更する制御としても良い。
【００８７】
さらに、制御装置５０は、２階の部屋２６においても、２階の室温センサ５４Ｂで計測する部屋２６の室温に応じてスラット可変式シャッタ３０，３２，４６（場合によってはスラット可変式シャッタ４０）の開閉、及び各々のスラットの角度変更を１階と同様に制御することができ、建物１０の省エネを図ることが出来る。
【００８８】
（強風制御）
例えば、風速計５２で計測した屋外の風速が予め設定した値を超えた場合は、制御装置５０は、全てのスラット可変式シャッタを閉め、かつ全てのスラットに対してスラット間に隙間が生じないように角度変更を行う。これにより、台風等の場合に、強風や雨等がインナーテラス１２、インナーバルコニー２２、及びテラス３４に吹き込むことを防止できる。
【００８９】
なお、全てのサッシ、及びスラット可変式シャッタを閉め、かつ全てのスラットに対してスラット同士を密着させることで、インナーテラス１２、インナーバルコニー２２、及びテラス３４は密閉され、空気による断熱層ができるため、断熱効果が向上し、また、同時に遮音層ともなるので、室内で聞こえる外部の騒音を小さくすることもできる。
【００９０】
（防犯制御）
本実施形態の建物１０では、全てのスラット可変式シャッタ（または少なくとも１階のスラット可変式シャッタ１８，２０，４８のみ）を閉めることで、防犯性を高めることが出来るが、庭５７等の屋外にいる人間を人体検出センサ５６で検出することで、自動で全てのスラット可変式シャッタを閉めることができる。
【００９１】
本実施形態の制御装置５０は、庭５７等の屋外にいる人間が建物１０の居住者であった場合に、スラット可変式シャッタが閉まらないような制御を行うことができる。本実施形態では、居住者とその他の人間とを区別するために、居住者には居住者固有のＩＤ番号を含む信号を発信するＩＤカード５８を持たせ、ＩＤカード５８が発する電波を屋外のアンテナ６０が受信している場合には、庭５７等の屋外にいる人間を人体検出センサ５６が検出していても、検出した屋外の人間は居住者であると判断する。
【００９２】
ここで、庭５７等の屋外にいる人間を人体検出センサ５６が検出し、１階のサッシ１６の鍵及びサッシ３６の鍵の少なくとも一方が開いており、洗濯物センサ６２によってインナーバルコニー２２に洗濯物があると検出され、かつＩＤカード５８が発する電波をアンテナ６０が受信していない場合には、制御装置５０は、屋外にいる人間を建物１０の居住者でない（即ち、不審者）と判断し、スラット可変式シャッタ１８，２０，３０，３２，４０，４６，４８を全て閉める。
【００９３】
これにより、建物１０の防犯性が向上し、屋外にいる人間がインナーテラス１２、インナーバルコニー２２、テラス３４、及び建物内に進入することを防止でき、洗濯物の盗難も防止できる。
【００９４】
なお、庭５７等の屋外にいる人間を人体検出センサ５６が検出し、ＩＤカード５８が発する電波をアンテナ６０が受信している場合には、制御装置５０は、屋外にいる人間を建物１０の居住者と判断し、鍵の開閉や、洗濯物の有無に関係なくスラット可変式シャッタ１８，２０，３０，３２，４０，４６，４８を駆動せず、その状態を維持する。
【００９５】
なお、防犯制御はこれに限らず、かつＩＤカード５８が発する電波をアンテナ６０が受信していない状態で人体検出センサ５６が人間を検出した場合には、サッシ１６の鍵及びサッシ３６の鍵の状態、及び洗濯物センサ６２の有無に関係なくスラット可変式シャッタ１８，２０，３０，３２，４０，４６，４８を全て閉めても良く、洗濯物の有無に関係なくサッシ１６の鍵及びサッシ３６の鍵の少なくとも一方が開いている場合にスラット可変式シャッタ１８，２０，３０，３２，４０，４６，４８を全て閉めても良い。
【００９６】
（降雨制御）
雨滴センサ６３によって雨滴が検出されると、制御装置５０は、スラット可変式シャッタ４０を閉めると共に、スラット可変式シャッタ４０のスラットとスラットとの間に隙間が生じないようにスラットの角度を変更する。これにより、スラット可変式シャッタ４０は、テラス３４の屋根となる。
【００９７】
なお、その他のスラット可変式シャッタは、全て閉じ、かつスラットは、外側の端部が内側の端部よりも下側となるようにスラットを斜め下方へ傾斜させ、雨が屋内側へ入らないようにする。
【００９８】
このように、本実施形態の建物１０では、インナーテラス１２、インナーバルコニー２２、及びテラス３４の屋外側開放部分にスラット可変式シャッタを設けたので、これらを室内側から有効利用でき、スラット可変式シャッタを閉め、かつスラットとスラットとの間に隙間を開けることで、防犯性能を確保しつつ高い換気性能を確保することができる。
【００９９】
なお、本実施形態では、制御装置５０は、室温制御、強風制御、防犯制御、及び降雨制御を行うようにしたが、制御装置５０に、各スラット式シャッタの開閉やスラットの角度が種々異なった複数のモードを記憶しておき、操作盤５０Ａを手動で操作してすることで、各々のモードに容易に変更可能とすることも出来る。
【０１００】
モードとしては、例えば、屋根の役目をするスラット可変式シャッタ４０は開とし、その他のスラット可変式シャッタは、全て閉め、かつスラットは開とする通常（通風）モード、全てのスラット可変式シャッタを閉じると共に、全てのスラットを閉じる全閉止モード（防犯モード）、全てのスラット可変式シャッタを開ける全開モード等、全てのスラット可変式シャッタを閉じると共に、太陽光の進入を阻止するようにスラットの角度を変更する日よけモード等、種々のモードが考えられる。
【０１０１】
［第２の実施形態］
次に、第２の実施形態に係る建物１０を図６、及び図７にしたがって説明する。なお、前述した実施形態と同一構成には同一符号を付し、その説明は省略する。
図６、及び図７に示すように、本実施形態の建物１０は、西側外壁面１１Ｗから西側に突出するテラス６６、及びラーメン構造様のバットレス６４が設けられている。テラス６６の屋内側には、インナーテラス６８が設けられており、１階の部屋からは、サッシ１６、インナーテラス６８、及びテラス６６を介して庭５７と出入り自由となっている。また、西側外壁面１１Ｗの２階部分には、バットレス６４を臨む位置にサッシ（窓）７１が設けられている。
【０１０２】
このバットレス６４の１階部分には北側部分にスラット可変式シャッタ（図示省略）、西側部分にスラット可変式シャッタ７２、及び南側部分にスラット可変式シャッタ７４が設けられており、バットレス６４の２階部分には北側部分にスラット可変式シャッタ７６、西側部分にスラット可変式シャッタ７８、及び南側部分にスラット可変式シャッタ８０が設けられている。
【０１０３】
本実施形態においても、各スラット可変式シャッタの開閉、各々のスラットの角度の変更により、第１の実施形態と同様の作用効果が得られる。
また、本実施形態のテラス６６は、インナーテラス６８と連結され、さらに北、西、及び南の３方に面しているので、より広く室内空間の拡張が可能となっており、かつ通風性に優れている。
【０１０４】
［その他の実施形態］
上記実施形態のテラス３４では、１階にスラット可変式シャッタ４８、２階にスラット可変式シャッタ４６を設けたが、梁４４に取り付けた２階のスラット可変式シャッタ４６をテラス３４の床に到達する移動範囲の長いものとしても良い。これにより、１階のスラット可変式シャッタ４８を不要にすることができ、部品点数の削減となる。
【０１０５】
上記実施形態では、１階の南西角部をインナーテラス１２としたが、床部分を地面と同レベルとして車両の駐車スペースとして利用することもできる。
【０１０６】
また、インナーテラス１２は、例えば、屋根２４に取り付けた太陽光パネルで発電した電力を貯蔵する蓄電池を収納する収納庫として利用しても良い。蓄電池をインナーテラス１２に配置した場合、蓄電池に貯めた電力を、自動車のバッテリーの充電に用いることができるように、インナーテラス１２に充電装置を設置しても良い。電力を取り出すための充電装置のコンセントは、インナーテラス１２の壁面に設けるタイプでも良く、インナーテラス１２の天井から下降するタイプとしても良い。
【０１０７】
上記実施形態では、室温に応じてスラットの角度を変更したが、例えば、屋根２４等に日射センサーを設け、日差しの強弱に応じてスラットの角度を変更しても良い。例えば、日差しが強い場合には、制御装置５０は、室内に太陽光が直接的に入り込まないようにスラットの角度を変更する制御を行うことも出来る。
【０１０８】
上記実施形態では、地上から室内が見えないように目隠しするために１階のスラットを下向きとし、２階のスラットを上向としたが、例えば、１階と２階との中間部分にスラット可変式シャッタを設けた場合には、１階と２階との中間部分に設けたスラット可変式シャッタのスラットは略水平とすれば良い。
【０１０９】
上記実施形態では、地上から室内が見えないように目隠しするために１階のスラットを下向きとし、２階のスラットを上向としたが、例えば、１階と２階との中間部分にスラット可変式シャッタを設けた場合には、１階と２階との中間部分に設けたスラット可変式シャッタのスラットは略水平とすれば良い。
【０１１０】
上記実施形態では、上下に昇降して開閉する上下開閉タイプのスラット可変式シャッタを用いたが、縦方向に延びるスラットを複数備えて、横方向に移動する横開閉タイプのスラット可変式シャッタを用いることもできる（例えば、上記実施形態のスラット可変式シャッタを９０°向きを変えて取り付けた様な構造のもの）。
【０１１１】
上記実施形態では、テラス３４の上方の開口部分を閉止するために巻取り式のスラット可変式シャッタ４０を用いたが、屋根の役目をするものであれば、巻取り式のスラット可変式シャッタ４０を用いなくても良く、例えば、スラットの角度が可変できない通常のシャッタを用いても良く、水平に移動する平板状の部材を用いても良い。
【０１１２】
上記実施形態では、スラット可変式シャッタ１８，２０，３０，３２，４０，４６，４８に全て電動式のものを用いたが、一部または全てを手動式のものとしても良い。
【符号の説明】
【０１１３】
１０      建物
１１Ｗ    西側外壁面（外壁）
１１Ｓ    南側外壁面（外壁）
１２      インナーテラス（半屋外空間）
１４      部屋（室内）
１６      サッシ（仕切り部材）
１６Ｓ    センサ（戸締りセンサ）
１８      スラット可変式シャッタ
２０      スラット可変式シャッタ
２２      インナーバルコニー（半屋外空間）
２６      部屋
２８      サッシ（仕切り部材）
３０      スラット可変式シャッタ
３２      スラット可変式シャッタ
３４      テラス
３６      サッシ（仕切り部材）
３６Ｓ    センサ（戸締りセンサ）
３８      サッシ（仕切り部材）
４０      スラット可変式シャッタ（可動屋根）
４６      スラット可変式シャッタ
４８      スラット可変式シャッタ
５０      制御装置（可動屋根制御装置、シャッタ開閉制御装置、
５２      風速計（風計測装置）
５４Ａ    室温センサ
５４Ｂ    室温センサ
５６      人体検出センサ
６２      洗濯物センサ
６３      雨滴センサ
６８      インナーテラス
７２      スラット可変式シャッタ
７４      スラット可変式シャッタ
７６      スラット可変式シャッタ
７８      スラット可変式シャッタ
８０      スラット可変式シャッタ
【図１】
2012017613.tif 000003
【図２】
2012017613.tif 000004
【図３】
2012017613.tif 000005
【図４】
2012017613.tif 000006
【図５】
2012017613.tif 000007
【図６】
2012017613.tif 000008
【図７】
2012017613.tif 000009